(57)【要約】【課題】  処理可能な最小の枚葉紙サイズと最大の枚葉紙サイズの間の、すべての枚葉紙サイズの被印刷体枚葉紙を、同じように確実に運ぶことができる、新たなくわえづめ装置を提供する。【解決手段】  くわえづめ６，７，８が一列に配置され、各くわえづめ６，７，８の間にそれぞれ中間スペースが設けられている。くわえづめ６，７，８によって把持されている被印刷体枚葉紙１５の自由な枚葉紙コーナー部を押えるための押さえ具１３が、各くわえづめ６，７，８に設けられている。押さえ具１３の一部が、中間スペースの領域内へ入り込んで、枚葉紙コーナー部が大きく曲がったり折れたりしないように押さえる。【選択図】  図１
2004155198.tif 000002
【特許請求の範囲】
【請求項１】
一列に配置されたくわえづめ（６，７，８）と、各くわえづめ（６，７，８）の間の中間スペース（１１）を備え、さらに、前記くわえづめ（６，７，８）によって把持されている被印刷体枚葉紙（１５）の自由な枚葉紙縁（１６）をそのつど押さえるための押さえ具（１３）を備えているくわえづめ装置（４）において、
前記押さえ具（１３）が、前記中間スペース（１１）内へ突出するように配置されており、被印刷体枚葉紙（１５）を把持するときに前記くわえづめ（６，７，８）とともに位置調節可能に支持されていることを特徴とするくわえづめ装置。
【請求項２】
前記押さえ具（１３）が前記くわえづめ（６，７，８）に配置されている、請求項１に記載のくわえづめ装置。
【請求項３】
前記各押さえ具（１３）は、前記くわえづめ（６，７，８）のうちのそれぞれ１つとともに１つの部材から構成されている、請求項１または２に記載のくわえづめ装置。
【請求項４】
前記押さえ具（１３）の枚葉紙支持面（１４）が、前記くわえづめ（６，７，８）の枚葉紙クランプ面（１２）から、前記くわえづめ（６，７，８）の列に直交する方向にずれて配置されている、請求項１から３のいずれか１項に記載のくわえづめ装置。
【請求項５】
前記枚葉紙支持面（１４）と前記枚葉紙クランプ面（１２）が互いに段差がついており、互いに実質的に平行な面を形成している、請求項４に記載のくわえづめ装置。
【請求項６】
第１のくわえづめ装置（４）と第２のくわえづめ装置（５）とを備え、前記くわえづめ装置（４，５）は、枚葉紙の受け渡し時に被印刷体枚葉紙（１５）をくわえづめ装置（４，５）の一方から他方へ受け渡し、かつ受け取るように配置されている、被印刷体枚葉紙（１５）を処理する機械（１）において、
前記第１のくわえづめ装置（４）が、請求項１から５のいずれか１項にしたがって構成されていることを特徴とする、被印刷体枚葉紙を処理する機械。
【請求項７】
前記第２のくわえづめ装置（５）も、請求項１から５のいずれか１項にしたがって構成されている、請求項６に記載の機械。
【請求項８】
前記第１のくわえづめ装置（４）の押さえ具（１３，２１）が、第１のくわえづめ装置（４）の前記押さえ具（１３，２１）の枚葉紙支持面（１４）が枚葉紙の受け渡し中に前記第２のくわえづめ装置（５）の前記押さえ具（２２）の枚葉紙支持面の方を向くように、第２のくわえづめ装置（５）の押さえ具（２２）に対して相対的に配置されている、請求項７に記載の機械。
【請求項９】
前記第１のくわえづめ装置（４）が枚葉紙搬送胴（２）の構成要素である、請求項６から８のいずれか１項に記載の機械。
【請求項１０】
前記第２のくわえづめ装置（５）が枚葉紙搬送胴（３）の構成要素である、請求項６から９のいずれか１項に記載の機械。
【請求項１１】
前記機械（１）が枚葉紙印刷機である、請求項６から１０のいずれか１項に記載の機械。
【発明の詳細な説明】
【技術分野】
【０００１】
本発明は、請求項１の前提項に記載されている、一列に配置されたくわえづめと、各くわえづめの間の中間スペースを備え、さらに、くわえづめによって把持されている被印刷体枚葉紙の自由な枚葉紙縁をそのつど押さえるための押さえ具を備えているくわえづめ装置に関し、以下のような背景から生まれたものである。
【背景技術】
【０００２】
このような装置で問題になるのは、挟み込まれた被印刷体枚葉紙の枚葉紙コーナー部が、特定の枚葉紙幅の場合にしか、くわえづめのうちの１つの真下にこないことである。その他の多くの枚葉紙サイズの場合、枚葉紙は、くわえづめ列内のくわえづめとして枚葉紙の把持に関与するくわえづめから側方に突き出している。このような場合、枚葉紙は、各中間スペースのうちの１つの領域内にある、いわゆる自由な枚葉紙コーナー部を有している。この自由な枚葉紙コーナー部は、前述したくわえづめと、すでに枚葉紙サイズの幅の外側に位置し、したがって枚葉紙の把持には直接関与しない、そのくわえづめに隣接するくわえづめとの間に位置している。枚葉紙が中間スペース内に自由に突出する量が大きいほど、また枚葉紙の材料が不安定であるほど、そしてくわえづめ装置の搬送速度が速いほど、自由な枚葉紙コーナー部はその適切な所定の位置から一層ずれやすくなる。それらの枚葉紙コーナー部が立ち上がることは制御できないので、次のくわえづめ装置が最初に述べたくわえづめ装置から枚葉紙を受け取る直前に、枚葉紙コーナー部が次のくわえづめ装置に衝突するおそれがある。枚葉紙コーナー部のこのような衝突により、枚葉紙コーナー部が折れ曲がり、または押しつぶされ、そのために、枚葉紙のそれ以降の処理が難しくなり、または完全に不可能になり、この枚葉紙が損紙になることがある。このような障害を防ぐために、さまざまな技術的方策がすでに検討されている。
【０００３】
たとえば特許文献１には、くわえづめが、第２のくわえづめ装置に配置された押さえ具と協働する第１のくわえづめ装置が記載されている。第２のくわえづめ装置は、第１のくわえづめ装置に配置された押さえ具と協働するくわえづめを有している。つまり、両方のくわえづめ装置のそれぞれの押さえ具は、枚葉紙が第１のくわえづめ装置から第２のくわえづめ装置へ受け渡される間に、他方のくわえづめ装置のくわえづめとそれぞれ協働する。この特許文献１に記載されている一実施形態では、押さえ具はローラとして構成されており、各くわえづめ装置のくわえづめ台に回転可能に支持されている。
【０００４】
特許文献２に記載されているくわえづめ装置は、単に、それと異なる従来技術であり、そのくわえづめ装置では、移動可能な枚葉紙台が、固定されているくわえづめ台の間の中間スペースの領域に配置されている。この枚葉紙台により、枚葉紙の縁部が中間スペース内で支えられて、所定の位置にて安定する。それによって、横に突き出す枚葉紙サイズの場合に枚葉紙コーナー部に皺ができたり、折れ曲がることが防止される。
【特許文献１】ドイツ特許出願公告明細書第１２３４７３８号
【特許文献２】欧州特許出願公開明細書第１０５７６２６Ａ１号
【発明の開示】
【発明が解決しようとする課題】
【０００５】
本発明の目的は、最小の枚葉紙サイズと最大の枚葉紙サイズの間にあるすべての枚葉紙サイズの被印刷体枚葉紙を、同じように確実に運ぶことができる、新たなくわえづめ装置を提供することである。
【課題を解決するための手段】
【０００６】
この目的は、冒頭に述べた種類に該当し請求項１の特徴を備えている、すなわち、押さえ具が、中間スペース内へ突出するように配置されており、被印刷体枚葉紙を把持するときにくわえづめとともに位置調節可能に支持されていることを特徴とするくわえづめ装置によって達成される。
【０００７】
つまり本発明によるくわえづめ装置では、くわえづめと、これらのくわえづめに付属する押さえ具とが、同一のくわえづめ装置にある。各押さえ具は、少なくとも部分的に、それぞれ中間スペースのうちの１つの領域内に延びている。本発明によるくわえづめ装置の押さえ具は、くわえづめが開いたり閉じたりするときに、その運動を確実に一緒に行うように支持されている。本発明のくわえづめ装置に挟み込まれた被印刷体枚葉紙の自由な枚葉紙コーナー部は、枚葉紙を受け渡す間に、それぞれの場合にちょうど作用する押さえ具によって位置がずれないように一時的に固定されるだけでなく、被印刷体枚葉紙がくわえづめ装置によってしっかりと把持される時間全てに亘って固定される。それぞれの押さえ具は、異なる枚葉紙サイズの自由な枚葉紙縁を押さえる役目をする。
【０００８】
次に、従属請求項に記載されている実施態様について簡単に説明する。
【０００９】
一実施態様では、押さえ具がくわえづめに直接配置されている。つまり、押さえ具のそれぞれが、異なるくわえづめに配置されている。これに代えて、押さえ具が、くわえづめと押さえ具を両方とも支持するくわえづめシャフトを介して、くわえづめに連結されるように設けられていてもよい。
【００１０】
別の実施態様では、各押さえ具がそれぞれ１つのくわえづめとともに、１つの部材から形成されている。つまり、各くわえづめに異なる押さえ具が一体的に形成されている。このような押さえ具とくわえづめの一体的な構成に代えて、各押さえ具がそれぞれくわえづめの１つに取り付けられるように設けられていてもよい。後者の場合、押さえ具はピンであって、くわえづめに側方から挿入されてもよい。
【００１１】
別の実施態様では、押さえ具の枚葉紙支持面が、くわえづめの枚葉紙クランプ面から、くわえづめの列に直交する方向にずれて配置されている。つまり枚葉紙支持面は、枚葉紙クランプ面に対して相対的に、くわえづめと中間スペースによって形成されている列の延びる方向に直交する方向にずらされている。
【００１２】
別の実施態様では、枚葉紙支持面と枚葉紙クランプ面が互いに段差がついており、枚葉紙支持面と枚葉紙クランプ面が互いに実質的に平行な面を形成している。つまり、くわえづめおよび押さえ具の組のそれぞれにおいて、枚葉紙支持面と枚葉紙クランプ面が一緒になって段差を形成しており、枚葉紙支持面と枚葉紙クランプ面はいずれも実質的に平坦な面であり、この両方の平坦な面が実質的に互いに平行に整列している。
【００１３】
さらに、本発明は、第１のくわえづめ装置と第２のくわえづめ装置とを備え、両くわえづめ装置は、枚葉紙の受け渡し時に被印刷体枚葉紙をくわえづめ装置の一方から他方へ受け渡し、かつ受け取るように配置されている、被印刷体枚葉紙を処理する機械も含む。この機械は、この機械の第１および／または第２のくわえづめ装置が、本発明によるくわえづめ装置、すなわちその実施態様の１つに相応する構成であることを特徴としている。
【００１４】
それに応じて、第１および／または第２のくわえづめ装置は、一列に配置されたくわえづめと、くわえづめの間の中間スペースを備え、さらに、くわえづめによって把持されている被印刷体枚葉紙の自由な枚葉紙縁を押さえるための押さえ具を備えており、押さえ具が、中間スペース内へ突出するように配置されており、被印刷体枚葉紙を把持するときにくわえづめとともに位置調節可能に支持されている。
【００１５】
第１のくわえづめ装置と第２のくわえづめ装置が両方とも上記のように構成されている場合、第１のくわえづめ装置の押さえ具が、第１のくわえづめ装置の押さえ具の枚葉紙支持面が枚葉紙の受け渡し中に第２のくわえづめ装置の押さえ具の枚葉紙支持面の方を向くように、第２のくわえづめ装置の押さえ具に対して相対的に配置されていてもよい。この実施態様では、枚葉紙を受け渡すたびに、第１のくわえづめ装置の押さえ具が第２のくわえづめ装置の押さえ具を「すり抜ける」とともに、第２のくわえづめ装置の押さえ具が第１のくわえづめ装置の押さえ具を「すり抜け」、このとき、第１のくわえづめ装置の枚葉紙支持面は被印刷体枚葉紙の一方の面の方を向いており、第２のくわえづめ装置の枚葉紙支持面は被印刷体枚葉紙の他方の面の方を向いている。
【００１６】
特に枚葉紙印刷機である、本発明の機械の別の実施態様では、たとえばくわえづめブリッジの形態の第１のくわえづめ装置が枚葉紙搬送胴の構成要素であり、または、それに代えて機械のチェーンコンベヤの構成要素であり、および／または、たとえば同じくくわえづめブリッジの形態の第２のくわえづめ装置が枚葉紙搬送胴の構成要素であり、または、それに代えて機械のチェーンコンベヤの構成要素である。したがって、この機械は、被印刷体枚葉紙を受け渡す時に直接協働する、一方が第１のくわえづめ装置を含んでいて他方が第２のくわえづめ装置を含んでいる、２つの枚葉紙搬送装置（枚葉紙搬送胴／枚葉紙搬送胴；チェーンコンベヤ／チェーンコンベヤ；枚葉紙搬送胴／チェーンコンベヤ）を含むことができる。
【発明を実施するための最良の形態】
【００１７】
以下に、本発明の実施の形態について図面を参照して説明する。
【００１８】
図１には、機械１の部分図が示されている。機械１は枚葉紙印刷機である。この機械１は、図４から図７に示されている第１の枚葉紙搬送胴２と第２の枚葉紙搬送胴３を備えている。第１の枚葉紙搬送胴２は第１のくわえづめ装置４を備えており、第２の枚葉紙搬送胴３は、同様に構成された第２のくわえづめ装置５を備えている。くわえづめ装置４，５はくわえづめブリッジである。
【００１９】
第１のくわえづめ装置４は、図１には幾何学的な回転軸線で模式的にのみ図示されているくわえづめシャフト９に取り付けられている、一列に配置されたくわえづめ６，７，８を備えている。くわえづめシャフト９は、第１の枚葉紙搬送胴２が回転する際の中心となる中心軸と平行に延びており、くわえづめ６〜８を、それらに付属するくわえづめ台１０に近づいたり離れたりするように揺動させる役目をする。くわえづめ６〜８は互いに間隔をおいて配置されているので、それぞれ直接隣接する２つのくわえづめ６と７の間およびくわえづめ７と８の間にはそれぞれ中間スペース１１があり、第１のくわえづめ装置４のくわえづめ６〜８が第２のくわえづめ装置５のくわえづめと噛み合うときに、第２のくわえづめ装置５のくわえづめが、枚葉紙を受け渡す時にこの中間スペース１１を通過する。くわえづめ６〜８の各々は、各くわえづめ台１０と向かい合う枚葉紙クランプ面１２と、各くわえづめ６〜８と一体的に構成されている押さえ具１３とを有している。
【００２０】
くわえづめ台１０の領域の外側、かつ中間スペース１１の領域の内側に延びている押さえ具１３は、くわえづめ６〜８と密接に形成された（angeformt）小さな羽根状の形態を有している。各々の押さえ具１３は、主に各くわえづめ台１０の領域の外側を延び、当該くわえづめの、枚葉紙クランプ面１２と同じ下面にある枚葉紙支持面１４を備えている。枚葉紙支持面１４は、０．５〜１．５ミリメートル、有利には約１ミリメートル、たとえば１．１ミリメートルである間隔ａだけ枚葉紙クランプ面１２から引っ込むように構成されており、その結果、枚葉紙の搬送の障害がない場合には、このような段差を形成する枚葉紙支持面１４のどれ１つとして、くわえづめによって挟み込まれて保持される被印刷体枚葉紙１５と接触することはない。
【００２１】
この被印刷体枚葉紙１５は、機械１で処理可能な最大の枚葉紙サイズよりも短い枚葉紙幅を有している。そのため、くわえづめ６は、くわえづめ列の中で被印刷体枚葉紙１５を挟み込むことができる最後のくわえづめである。くわえづめ列の中でさらに外側に位置する隣のくわえづめ７は、くわえづめ７の枚葉紙クランプ面１２が被印刷体枚葉紙１５の枚葉紙幅の外側にあるので、これを挟み込むことはできない。換言すると、被印刷体枚葉紙１５は、くわえづめ台１０およびこれと協働するくわえづめ７の枚葉紙クランプ面１２にまではもはや届かず、その代わりに、中間スペース１１の領域でいわゆる自由な枚葉紙コーナー部１７として終る、クランプされない枚葉紙側縁１６を有する程度に幅が狭い。
【００２２】
この自由な枚葉紙コーナー部１７は、仮に適切な対策が講じられていなければ、自由な枚葉紙コーナー部１７に作用する空気の動圧や遠心力によって、下方に向かって、すなわち第１の枚葉紙搬送胴２に向かって、あるいは上方に向かって、すなわち第１の枚葉紙搬送胴２から離れるように逸れる可能性がある。枚葉紙コーナー部１７の、下方または上方に向かって曲がってだめになってしまう傾向は、被印刷体枚葉紙１５を構成する材料が薄くバランスが悪いほど強く、また、くわえづめ６からくわえづめ７へ向かう被印刷体枚葉紙１５の自由な縁部の長さが長いほど強くなる。印刷速度が増して第１の枚葉紙搬送胴２の回転数が増えるにつれて、そしてそれに伴って被印刷体枚葉紙１５の搬送速度が速くなるにつれて、枚葉紙コーナー部１７に作用する遠心力や、枚葉紙コーナー部１７に作用する空気の動圧も増え、それによって、枚葉紙コーナー部１７が下方や上方に向かって逸れてしまう傾向も強くなる。
【００２３】
これを防止するために、押さえ具１３と、第１のくわえづめ装置４に密接に形成された（angeformt）支持レール１８という形態で対応策が講じられている。支持レール１８は、枚葉紙搬送方向に見て、くわえづめ台１０と中間スペース１１のすぐ後ろで、くわえづめ台１０に対して相対的に間隔ｂをおいてその下方を延びている。障害のない状態のとき、すなわち枚葉紙コーナー部１７が所定の位置にあるとき、被印刷体枚葉紙１５は、間隔ｂがあるので支持レール１８にまったく接触しない。被印刷体枚葉紙１５が支持レール１８と初めて接触するのは、前述した障害の大きさに基づいて枚葉紙コーナー部１７がすでにある程度下方に向かって曲がっているが、まだ許容できる程度であるときである。間隔ｂは、下方に向かって曲がった状態の枚葉紙コーナー部１７が第２のくわえづめ装置５と衝突することが確実に防止されるように設定されている。当然ながら、支持レール１８の代わりに一列の支持部材を設けることも考えられ、このような支持部材はそれぞれ、異なる中間スペース１１の後に位置することになるであろう。
【００２４】
場合によっては枚葉紙コーナー部１７が上方に向かって曲がった状態のときにも、このような衝突を防ぐために、押さえ具１３がくわえづめ７に設けられている。この押さえ具１３の、枚葉紙コーナー部１７を上方から覆う枚葉紙支持面１４は、間隔ａがあいているので、同じく障害時にしか枚葉紙支持面１４と接触せず、すなわち、枚葉紙コーナー部１７が上方に向かってまだ許容できる程度だけ立ち上げられている場合にしか接触しない。つまり枚葉紙支持面１４は、支持レール１８の支持面と同じく、クランプ面とは殆ど言えないものである。むしろこの両方の支持面は、被印刷体枚葉紙１５の好ましくない動きを制限し、被印刷体枚葉紙１５の搬送に障害がないときには被印刷体枚葉紙１５と全く接触しないストップ面である。
【００２５】
くわえづめ７は、ばねによってくわえづめシャフト９にフレキシブルに連結されているので、くわえづめ７のくわえづめ先端部の側方に配置された押さえ具１３も、必然的にばね力を加えられつつ支持されている。各押さえ具１３は、該当する押さえ具１３がくわえづめ先端部に配置されるように、各くわえづめ７のばねによってばね力を加えられ支持されている。
【００２６】
図２から明らかなように、一方ではくわえづめ７およびこれと協働するくわえづめ台１０の間にあり、他方ではくわえづめ６およびこれと協働するくわえづめ台１０の間にある中間スペース１１は、軸平行な方向に全長Ａを有している。くわえづめ７の押さえ具１３は縁部の長さＢを有しており、全長Ａからこれを引くと、残りの長さＣが中間スペース１１の内部に生じる。くわえづめ７の押さえ具１３から、くわえづめ６と協働するくわえづめ台１０までの間で測定される残りの長さＣは、くわえづめ６〜８と同様に構成された、第２のくわえづめ装置５のくわえづめが、枚葉紙を受け渡す時に中間スペース１１を通過できるような大きさに設定されている。ただし残りの長さＣは、中間スペース１１を通過するくわえづめにその押さえ具を含めた、軸平行な方向に測定される長さよりも短いので、中間スペース１１を通過するくわえづめの押さえ具１３と、くわえづめ７の押さえ具１３とは、枚葉紙を受け渡すときに相互に「すり抜ける」（図４から図７を参照）。
【００２７】
くわえづめ６〜８とともにそれぞれ１つのユニットを構成する押さえ具１３に加えて、第１のくわえづめ装置４は、独立して配置されている、すなわちくわえづめには配置されていない、他の押さえ具１３と同じ働きをする押さえ具１９を有している。この独立した押さえ具１９は、押さえ具１３とともに形成している列の最後にある。くわえづめ８は、第１の枚葉紙搬送胴２の軸方向に見て最も外側に離れているくわえづめなので、さらに外側に位置する独立した押さえ具１９を配置できるようなくわえづめは存在しない。独立した押さえ具１９は、自由な枚葉紙コーナー部が押さえ具１９の下にあるような、最大の枚葉紙サイズに相当する幅の広い被印刷体枚葉紙の自由な枚葉紙コーナー部が立ち上がるのを制限するために設けられている。図３から明らかなように、非印刷体枚葉紙１５の基準面２０と押さえ具１９の枚葉紙支持面との間の間隔ａは、押さえ具１９に関しても維持されている。このような独立した押さえ具が、この列の、押さえ具１９と反対側の端部にも同様に存在する。
【００２８】
このように、各押さえ具６〜８，１９は枚葉紙の幅が異なる場合にも有効である。押さえ具６〜８，１９が存在することによって、第１のくわえづめ装置４は、枚葉紙側縁１６が、くわえづめ６〜８のうちの１つと、このくわえづめに付属するくわえづめ台１０のちょうど中間に位置する、特に広く普及しているいわゆる主な枚葉紙サイズだけでなく、寸法がこれらの主な枚葉紙サイズの間にあるどのような枚葉紙サイズでも、確実に搬送することができる状態である。押さえ具１３を第１のくわえづめ装置４に配置することによる本発明の他の利点は、くわえづめ装置において、くわえづめからくわえづめまでの間隔を比較的広く選択することができ、したがって、第１のくわえづめ装置４は比較的少数のくわえづめ６〜８しか必要としないので、より多くのくわえづめを有するくわえづめ装置よりも低い生産コストで製造できるという点に認められる。
【００２９】
くわえづめ装置４に挟み込まれた被印刷体枚葉紙１５は、その枚葉紙コーナー部１７が上方に向かって逸れないように、かつ同時に下方に向かって逸れないように、両方向から固定されるのが有利である。一方では、枚葉紙コーナー部１７はくわえづめ台１０から大きく逸れすぎないように、もしくはくわえづめ台１０から逃げないように、押さえ具６〜８，１９のうちの１つによって上方から固定される。他方では、この枚葉紙コーナー部１７は、下方に向かって対応する中間スペース１１の中へ大きく逸れすぎないように、また折り畳まれないように、支持レール１８によって、または支持レール１８の代わりに使用可能な支持部材の１つによって固定される。
【００３０】
図４から図７には、くわえづめ７の、枚葉紙支持面１４を有する押さえ具２１と、第２のくわえづめ装置５の、中間スペース１１を通過するくわえづめ２３に配置された押さえ具２２とが、どのようにして互いに「すり抜ける」かが、回転角１０度のステップで順番に示されている。図４から図７は、枚葉紙１５の受け渡しに関与する部材の協働を示すのにそれぞれもっとも適している、さまざまな視線方向から示されている。この運動の経過を示す図面では、それに関与する部材をより見やすくするという理由から、本来ならば押さえ具２１と２２の間にある被印刷体枚葉紙１５は図示していない。図４は、被印刷体枚葉紙１５が第２のくわえづめ装置５から第１のくわえづめ装置４へ受け渡される直前のくわえづめ装置４，５を示している。この時点では、くわえづめ２３は閉じており、くわえづめ７は開いており、すなわちくわえづめ台１０から持ち上げられている。
【００３１】
図５は、被印刷体枚葉紙１５が受け渡される瞬間を示しており、このとき、第１のくわえづめ装置４すなわち第１の枚葉紙搬送胴２の押さえ具２１の枚葉紙支持面と、第２のくわえづめ装置５すなわち第２の枚葉紙搬送胴３の押さえ具２２の枚葉紙支持面とは、互いに平行な平面が向き合っている。
【００３２】
図６には、被印刷体枚葉紙が受け渡された直後のくわえづめ装置４，５が示されており、図６から明らかなように、この時点ではくわえづめ７はすでに閉じており、くわえづめ２３は開いており、すなわちそれに付属するくわえづめ台１０から持ち上げられている。このとき、くわえづめ７とくわえづめ台１０の間にすでに挟み込まれている被印刷体枚葉紙１５は、前述したように図６には示されていない。
【００３３】
図７には、図６に示す回転角位置に続く回転角位置の枚葉紙搬送胴２，３が示されており、この回転角位置では、第１の枚葉紙搬送胴２の押さえ具２１およびその他の押さえ具は、第２の枚葉紙搬送胴３の押さえ具２２およびその他の押さえ具と、すでに重なり合っていない。
【図面の簡単な説明】
【００３４】
【図１】第１のくわえづめ装置を示す部分斜視図である。
【図２】図１の第１のくわえづめ装置を示す拡大平面図である。
【図３】図１および図２の第１のくわえづめ装置を示す正面図である。
【図４】図１から図３の第１のくわえづめ装置の押さえ具と、第２のくわえづめ装置の押さえ具のさまざまな運動位相を順番に示す図である。
【図５】図１から図３の第１のくわえづめ装置の押さえ具と、第２のくわえづめ装置の押さえ具のさまざまな運動位相を順番に示す図である。
【図６】図１から図３の第１のくわえづめ装置の押さえ具と、第２のくわえづめ装置の押さえ具のさまざまな運動位相を順番に示す図である。
【図７】図１から図３の第１のくわえづめ装置の押さえ具と、第２のくわえづめ装置の押さえ具のさまざまな運動位相を順番に示す図である。
【符号の説明】
【００３５】
１  機械
２  第１の枚葉紙搬送胴
３  第２の枚葉紙搬送胴
４  第１のくわえづめ装置
５  第２のくわえづめ装置
６〜８  くわえづめ
９  くわえづめシャフト
１０  くわえづめ台
１１  中間スペース
１２  枚葉紙クランプ面
１３  押さえ具
１４  枚葉紙支持面
１５  被印刷体枚葉紙
１６  枚葉紙側縁
１７  枚葉紙コーナー部
１８  支持レール
１９  独立した押さえ具
２０  枚葉紙の基準面
２１，２２  押さえ具
２３  くわえづめ
【図１】
2004155198.tif 000003
【図２】
2004155198.tif 000004
【図３】
2004155198.tif 000005
【図４】
2004155198.tif 000006
【図５】
2004155198.tif 000007
【図６】
2004155198.tif 000008
【図７】
2004155198.tif 000009